(57)【特許請求の範囲】
【請求項１】
入力信号を増幅する第一の増幅器と、
前記第一の増幅器の入出力端子間に接続され、該増幅器の出力信号に基づいて、前記入力信号のオフセット電圧を解消するように動作する第二の増幅器と
を備えた受信回路であって、
前記入力信号とあらかじめ設定された基準信号とを比較して、該入力信号と基準信号との電位差が所定値以上となると、前記第二の増幅器の動作を制限する制御回路を備えたことを特徴とする受信回路。
【請求項２】
入力信号を増幅する第一の増幅器と、
前記第一の増幅器の出力信号とあらかじめ設定されたしきい値との比較に基づいて、該出力信号を２値化した信号を出力する比較器と、
前記第一の増幅器の入出力端子間に接続され、該第一の増幅器の出力信号に基づいて、前記入力信号のオフセット電圧を解消するように動作する第二の増幅器とを備えた受信回路であって、
前記入力信号とあらかじめ設定された基準信号とを比較して、該入力信号と基準信号との電位差が所定値以上となると、前記第二の増幅器の動作を制限する制御回路を備えたことを特徴とする受信回路。
【請求項３】
前記第二の増幅器は、
前記第一の増幅器の出力信号と基準信号との電位差を増幅する帰還増幅器と、
前記帰還増幅器の出力信号から交流成分を除去して、オフセット調整用直流電圧として前記第一の増幅器に出力する容量と
から構成し、
前記制御回路は、前記入力信号と前記基準信号とを比較して、該入力信号の振幅が所定範囲を越えると、前記帰還増幅器の利得若しくは出力電流を可変させる制御信号を出力することを特徴とする請求項１乃至２のいずれかに記載の受信回路。
【請求項４】
前記第二の増幅器は、
前記第一の増幅器の出力信号と基準信号との電位差を増幅する帰還増幅器と、
前記帰還増幅器の出力信号から交流成分を除去して、オフセット調整用直流電圧として前記第一の増幅器に出力する容量と、
前記帰還増幅器と前記容量との間に介在されるスイッチ回路と
から構成し、
前記制御回路は、前記入力信号と基準信号とを比較して、該入力信号の振幅が一定範囲内となったとき、前記スイッチ回路を導通させ、該入力信号の振幅が一定範囲を越えると、前記スイッチ回路を非導通とする制御信号を出力することを特徴とする請求項１乃至２のいずれかに記載の受信回路。
【請求項５】
前記第一の増幅器は、差動出力信号を出力する増幅器で構成し、前記帰還増幅器は前記第一の増幅器の差動出力信号を増幅して出力することを特徴とする請求項３乃至４のいずれかに記載の受信回路。
【請求項６】
前記第一の増幅器は、前記入力信号とオフセット調整用直流電圧が入力される入力端子間を抵抗で接続したことを特徴とする請求項３乃至４のいずれかに記載の受信回路。
【請求項７】
前記帰還増幅器の入力端子のいずれかに、該帰還増幅器への入力電圧を調整する電圧調整回路を接続したことを特徴とする請求項１乃至６のいずれかに記載の受信回路。
【発明の詳細な説明】
【０００１】
【発明の属する技術分野】
この発明は、入力オフセット電圧を自動調節する機能を備えた増幅器に関するものである。
【０００２】
近年の電子機器では、光ファイバーを使用した光通信システムや、空間を介した赤外線による光通信システムが実用化されている。このような光通信システムでは、受信回路において受信光が電気信号に変換され、その電気信号が増幅器で増幅され、かつ２値信号に波形整形されて、内部回路に出力される。受信精度を向上させるために、受信回路を構成する増幅器の動作を安定させる必要がある。
【０００３】
【従来の技術】
光通信システムの受信回路では、例えば図７に示すように、振幅及びデューテイが大きく変化するバースト信号が入力信号ＶA として入力される。このような入力信号ＶA が入力される受信回路の第一の従来例を図８に示す。
【０００４】
増幅器１のプラス側入力端子には、前記入力信号ＶA が入力される。この入力信号ＶA は、受信した光をフォトダイオード（図示しない）で電気信号に変換したものである。
【０００５】
前記増幅器１のマイナス側入力端子には、直流基準電圧ＶF が入力信号ＶB として入力される。そして、増幅器１は入力信号ＶA ，ＶB の電位差を増幅した出力信号ＶC を出力する。
【０００６】
前記増幅器１の出力信号ＶC は、比較器２のプラス側入力端子に直接あるいはゲインが不足するときには複数段の増幅器を介して入力される。
前記比較器２のマイナス側入力端子には、しきい値ＶTHが入力される。そして、比較器２は入力信号ＶC をしきい値ＶTHに基づいて２値化した出力信号ＶX を出力する。前記しきい値ＶTHは、入力信号ＶA ，ＶB が同電位となったときの増幅器１の出力信号ＶC 、すなわち直流基準電圧ＶF と同一レベルに設定される。
【０００７】
上記のような受信回路では、増幅器１において入力信号ＶA ，ＶB の電位差を増幅して出力するため、入力信号ＶA の直流成分と入力信号ＶB との電位差が大きい場合には、その直流成分の電位差も増幅して出力する。
【０００８】
従って、増幅器１の出力信号ＶC において直流成分が増大して比較器２のしきい値ＶTHと大きくかけ離れると、比較器２では増幅器１の出力信号ＶC を正確に２値化できなくなることがあり、増幅器１と比較器２とをＤＣ結合すると、比較器２から誤データが出力されることがある。
【０００９】
また、このような不具合を防止するために、増幅器１と比較器２とを容量を介して接続すれば、増幅器１の出力信号ＶC の直流成分をカットして比較器２に入力することはできるが、増幅器１及び比較器２は半導体基板上の集積回路として形成されるので、これらを出力信号ＶC の直流成分をカットし得る大きな容量を介して結合することは困難である。
【００１０】
図９は、第二の従来例を示す。この受信回路では増幅器１の出力信号ＶC がバッファアンプ３ａを介して帰還増幅器３のプラス側入力端子に入力される。前記帰還増幅器３のマイナス側入力端子には直流基準電圧ＶF が入力され、帰還増幅器３の出力端子は容量Ｃ１を介して交流接地される。そして、前記帰還増幅器３の出力信号が、増幅器１のマイナス側入力端子に入力信号ＶB として入力される。前記帰還増幅器３は、電流駆動能力型の増幅器であり、容量Ｃ１の容量値は、帰還増幅器３の出力信号の交流成分を吸収し得るものである。
【００１１】
このような受信回路では、増幅器１の出力信号ＶC と直流基準電圧ＶF との電位差を帰還増幅器３で増幅し、その帰還増幅器３の出力信号から容量Ｃ１により交流成分を除去した直流電圧ＶB が増幅器１に入力される。
【００１２】
このような動作により、増幅器１の入力信号ＶA の直流成分と入力信号ＶB との電位差が大きくなれば、出力信号ＶC の直流成分の増大により、入力信号ＶB の電位が上昇する。
【００１３】
従って、入力信号ＶA の直流成分と入力信号ＶB の電位とが一致するように動作し、入力信号ＶA ，ＶB 間のオフセット電圧が解消される。このとき、入力信号ＶB は容量Ｃ１の時定数により、緩やかに変化する。
【００１４】
図１０は、第三の従来例を示す。この受信回路では、入力信号ＶA ，ＶB が入力される増幅器４は差動出力構成であり、その正相出力信号ＶC が比較器２に入力される。
【００１５】
前記増幅器４の差動出力信号は、それぞれバッファアンプ５，６を介して帰還増幅器３に入力され、その帰還増幅器３の入力端子は、容量Ｃ２を介して接続される。
【００１６】
前記帰還増幅器３の出力端子は、容量Ｃ３を介してグランドＧＮＤに接続されるとともに、前記増幅器１のマイナス側入力端子に接続される。また、増幅器４のマイナス側入力端子には、直流基準電圧ＶF が抵抗Ｒ１を介して供給される。
【００１７】
このような受信回路では、増幅器４の差動出力信号の直流成分の電位差が帰還増幅器３で増幅されて出力される。
このような動作により、増幅器４の入力信号ＶA の直流成分と入力信号ＶB との電位差が大きくなれば、増幅器４の差動出力信号の直流成分の電位差が増大して、入力信号ＶB の電位が上昇する。従って、入力信号ＶA の直流成分と入力信号ＶB の電位とが一致するように動作し、入力信号ＶA ，ＶB 間のオフセット電圧が解消される。このとき、入力信号ＶB は容量Ｃ１の時定数により、緩やかに変化する。
【００１８】
【発明が解決しようとする課題】
上記のような第二及び第三の従来例では、例えば図１１に示すように、振幅及びデューティが大きく異なる入力信号ＶA が入力されると、増幅器１，４から入力信号ＶA を増幅した出力信号ＶC が出力される。
【００１９】
この出力信号ＶC は、入力信号ＶA の振幅が大きくなると、その波高値が飽和状態となって一定レベルとなる。また、入力信号ＶB は出力信号ＶC に追随して緩やかに変化する。
【００２０】
比較器２は、増幅器１，４の出力信号ＶC としきい値ＶTHとを比較して、入力信号ＶA を２値化した出力信号ＶX を出力する。
このとき、入力信号ＶA のデューテイが変化して、パルス間の間隔が長くなると、帰還増幅器及び容量の動作により、入力信号ＶA ，ＶB が同一レベル、すなわち直流基準電圧ＶF レベルに近づこうとする。
【００２１】
すると、増幅器１，４の出力信号ＶC が比較器２のしきい値ＶTHを越えるため、比較器２の出力信号ＶX に誤パルスＮが発生して不安定となる。この結果、出力信号ＶX が入力される次段の回路において、出力信号ＶX の誤認識を生じる畏れがある。
【００２２】
この発明の目的は、入力オフセット電圧を自動的に解消可能としながら、入力信号として入力されるバースト信号のデューティに関わらず、安定した２値信号を出力し得る受信回路を提供することにある。
【００２３】
【課題を解決するための手段】
図１は請求項１の原理説明図である。すなわち、第一の増幅器１１は、入力信号ＶA を増幅する。第二の増幅器１３は、前記第一の増幅器１１の入出力端子間に接続され、該増幅器１１の出力信号ＶC に基づいて、前記入力信号ＶA のオフセット電圧を解消するように動作する。制御回路１４は、前記入力信号ＶA とあらかじめ設定された基準信号ＶF とを比較して、該入力信号ＶA と基準信号ＶF との電位差が所定値以上となると、前記第二の増幅器１３の動作を制限する。
【００２４】
請求項２では、第一の増幅器は、入力信号を増幅する。比較器は、前記第一の増幅器の出力信号とあらかじめ設定されたしきい値との比較に基づいて、該出力信号を２値化した信号を出力する。第二の増幅器は、前記第一の増幅器の入出力端子間に接続され、該第一の増幅器の出力信号に基づいて、前記入力信号のオフセット電圧を解消する。制御回路は、前記入力信号とあらかじめ設定された基準信号とを比較して、該入力信号と基準信号との電位差が所定値以上となると、前記第二の増幅器の動作を制限する。
【００２５】
請求項３では、前記第二の増幅器は、前記第一の増幅器の出力信号と基準信号との電位差を増幅する帰還増幅器と、前記帰還増幅器の出力信号から交流成分を除去して、オフセット調整用直流電圧として前記第一の増幅器に出力する容量とから構成される。前記制御回路は、前記入力信号と前記基準信号とを比較して、該入力信号の振幅が所定範囲を越えると、前記帰還増幅器の利得あるいは出力電流を可変させる制御信号を出力する。
【００２６】
請求項４では、前記第二の増幅器は、前記第一の増幅器の出力信号と基準信号との電位差を増幅する帰還増幅器と、前記帰還増幅器の出力信号から交流成分を除去して、オフセット調整用直流電圧として前記第一の増幅器に出力する容量と、前記帰還増幅器と前記容量との間に介在されるスイッチ回路とから構成される。前記制御回路は、前記入力信号と基準信号とを比較して、該入力信号の振幅が一定範囲内となったとき、前記スイッチ回路を導通させ、該入力信号の振幅が一定範囲を越えると、前記スイッチ回路を非導通とする制御信号を出力する。
【００２７】
請求項５では、前記第一の増幅器は、差動出力信号を出力する増幅器で構成され、前記帰還増幅器は前記第一の増幅器の差動出力信号を増幅して出力する。
請求項６では、前記第一の増幅器は、前記入力信号とオフセット調整用直流電圧が入力される入力端子間が抵抗で接続される。
【００２８】
請求項７では、前記帰還増幅器の入力端子のいずれかに、該帰還増幅器への入力電圧を調整する電圧調整回路が接続される。
（作用）
請求項１では、入力信号ＶA と基準信号ＶF との電位差が所定値以上であれば、第二の増幅器１３の動作が制限されるので、入力信号ＶA のオフセット電圧を解消する動作が遅延する。
【００２９】
請求項２では、入力信号と基準信号との電位差が所定値以上であれば、第二の増幅器の動作が制限されて、第一の増幅器の出力信号が比較器のしきい値を越えないので、比較器の出力信号での不安定な部分がなくなり、誤パルスの発生が防止される。
【００３０】
請求項３では、入力信号と基準信号との電位差が所定値以上であれば、制御回路の出力信号に基づいて、帰還増幅器の利得が減少することにより、入力信号のオフセット電圧を小さくする動作が遅延し、第一の増幅器の出力信号が比較器のしきい値に収束しないので、比較器の出力信号での誤パルスの発生が防止される。
【００３１】
請求項４では、入力信号と基準信号との電位差が所定値以上であれば、制御回路の出力信号に基づいて、スイッチ回路が非導通となることにより、入力信号のオフセット電圧を解消する動作が遅延し、第一の増幅器の出力信号が比較器のしきい値を越えないので、比較器の出力信号での誤パルスの発生が防止される。
【００３２】
請求項５では、第一の増幅器及び第二の増幅器を差動入出力型とすることにより、該増幅器への基準信号の入力を省略することができるとともに、利得を増大させることができる。
【００３３】
請求項６では、入力信号のオフセット電圧を調整することができ、入力信号に含まれるノイズに対するマージンや受信感度の調整が可能となる。
請求項７では、電圧調整回路により入力オフセット電圧の調整、ノイズマージンや入力感度の調整が容易となる。
【００３４】
【発明の実施の形態】
（第一の実施の形態）
図２は、この発明を具体化した第一の実施の形態を示す。入力信号ＶA は、増幅器１１のプラス側入力端子に入力され、その増幅器１１の出力信号ＶC は、前記従来例と同様な比較器に出力される。
【００３５】
前記出力信号ＶC は、帰還増幅器１３のプラス側入力端子に入力され、その帰還増幅器１３のマイナス側入力端子には直流基準電圧ＶF が入力される。また、増幅器１１の出力端子と帰還増幅器１３との間にバッファアンプ１２を設けることもある。
【００３６】
前記帰還増幅器１３の出力端子は、容量Ｃ１１を介して交流接地される。そして、前記帰還増幅器１３の出力信号が、増幅器１１のマイナス側入力端子に入力信号ＶB として入力される。前記帰還増幅器１３は、電流駆動能力型の増幅器であり、容量Ｃ１１の容量値は、帰還増幅器１３の出力信号の交流成分を吸収し得る程度の小さなものである。
【００３７】
前記帰還増幅器１３は、コントロールアンプ１４の出力信号に基づいてそのバイアス電流が制御される。前記コントロールアンプ１４は、前記入力信号ＶA と、直流基準電圧ＶF が入力され、図３に示すように、入力信号ＶA が直流基準電圧ＶF より所定電圧高い上限値Ｖ１を上回った時と、入力信号ＶA が直流基準電圧ＶF より所定電圧低い下限値Ｖ２を下回った時に、Ｈレベルとなるコントロール信号ＶCNT を出力する。
【００３８】
前記帰還増幅器１３は、前記コントロール信号ＶCNT がＬレベルとなると、その通常のバイアス電流に基づいて動作して、増幅器１１の出力電圧ＶC と基準電圧ＶF との電位差に基づく出力電流を出力し、コントロール信号ＶCNT がＨレベルとなると、そのバイアス電流が減少して、例えばコントロール信号ＶCNT がＬレベルの場合の１／１０の出力電流を出力する。
【００３９】
そして、帰還増幅器１３の出力電流が小さくなれば、増幅器１１の入力電圧ＶB の変化量が制限され、入力電圧ＶB が入力信号ＶA と同電位若しくは入力信号ＶA を越えることが防止される。
【００４０】
上記のように構成された受信回路では、増幅器１１の出力信号ＶC と直流基準電圧ＶF との電位差を帰還増幅器１３で増幅し、その帰還増幅器１３の出力信号から容量Ｃ１１により交流成分を除去した直流電圧ＶB が増幅器１１に入力される。
【００４１】
このような動作により、増幅器１１の入力信号ＶA の直流成分と入力信号ＶB との電位差が大きくなれば、出力信号ＶC の直流成分の変化により、入力信号ＶB の電位が入力信号ＶA の直流成分に追随して変化する。
【００４２】
このとき、入力信号ＶA の振幅が前記上限値Ｖ１と下限値Ｖ２との範囲外であれば、コントロールアンプ１４から出力されるコントロール信号ＶCNT はＨレベルであるので、帰還増幅器１３の出力電流が減少し、増幅器１１の入力信号ＶB は入力信号ＶA に追随して緩やかに変化する。
【００４３】
また、入力信号ＶA の振幅が上限値Ｖ１と下限値Ｖ２との範囲内であれば、コントロール信号ＶCNT はＬレベルとなって、帰還増幅器１３の出力電流が大きくなる。すると、帰還増幅器１３の出力電流が増大して、コントロール信号ＶCNT がＬレベルの場合より、増幅器１１の入力信号ＶB が入力信号ＶA に追随して速やかに変化する。
【００４４】
上記のように構成された受信回路では、次に示す作用効果を得ることができる。
（イ）増幅器１１の出力信号ＶC の直流成分と、直流基準電圧ＶF とに電位差が生じると、帰還増幅器１３の動作により、増幅器１１の入力信号ＶB が入力信号ＶA の直流成分に近づけられる。従って、入力信号ＶB に対する入力信号ＶA の直流成分のオフセット電圧を縮小することができる。
（ロ）入力信号ＶA の振幅が上限値Ｖ１と下限値Ｖ２との範囲外であるときは、帰還増幅器１３の出力電流が減少することにより、入力信号ＶB の変化量が制限され、入力信号ＶB は入力信号ＶA の直流成分に向かって緩やかに近づけられる。すると、図３に示すように、入力信号ＶA のデューティが変化して、パルス間隔が長くなった場合にも、入力信号ＶB と入力信号ＶA に収束する前に次のパルスが入力される状態となる。
【００４５】
従って、入力信号ＶB と、入力信号ＶA の直流成分とのオフセット電圧は縮小されるが、無信号時に入力信号ＶA が入力信号ＶB を越えることはないので、無信号時に増幅器１１の出力信号ＶC が次段の比較器のしきい値ＶTHを越えることはない。
【００４６】
この結果、比較器２の出力信号ＶX での誤パルスの発生を防止して、振幅の異なる入力信号ＶA に基づいて一定振幅の出力信号ＶX を安定して出力することができる。
（第二の実施の形態）
図４は、この発明を具体化した第二の実施例を示す。この実施の形態は、前記第一の実施の形態にスイッチ回路１５及び抵抗Ｒ２を付加し、そのスイッチ回路１５をコントロール信号ＶCNT で制御する構成としたものである。
【００４７】
前記帰還増幅器１３の出力端子は、スイッチ回路１５を介して増幅器１１のマイナス側入力端子に接続される。また、増幅器１１のマイナス側入力端子は容量Ｃ１１を介して交流接地されるとともに、抵抗Ｒ２を介して直流基準電圧ＶF が供給される。
【００４８】
前記スイッチ回路１５は、コントロール信号ＶCNT がＬレベルとなると導通し、Ｈレベルとなると非導通となるように構成される。
上記のように構成された受信回路では、増幅器１１の出力信号ＶC と直流基準電圧ＶF との電位差を増幅した信号が帰還増幅器１３から出力される。このとき、入力信号ＶA の振幅が前記上限値Ｖ１と下限値Ｖ２との範囲内であれば、コントロールアンプ１４から出力されるコントロール信号ＶCNT はＬレベルであるので、スイッチ回路１５が導通し、帰還増幅器１３の出力電流に基づいて、増幅器１１の入力信号ＶB は入力信号ＶA に追随して変化する。
【００４９】
また、入力信号ＶA の振幅が前記上限値Ｖ１と下限値Ｖ２との範囲を越えるときは、コントロールアンプ１４から出力されるコントロール信号ＶCNT はＨレベルであるので、スイッチ回路１５は非導通となり、増幅器１１の入力信号ＶB は基準電圧ＶF に緩やかに収束する。
【００５０】
上記のように構成された受信回路では、次に示す作用効果を得ることができる。
（イ）入力信号ＶA の振幅が上限値Ｖ１と下限値Ｖ２との範囲内であれば、スイッチ回路１５が導通して、帰還増幅器１３の出力電流により、増幅器１１の入力信号ＶB が入力信号ＶA の直流成分に近づけられる。従って、入力信号ＶB に対する入力信号ＶA の直流成分のオフセット電圧を縮小することができる。
（ロ）入力信号ＶA の振幅が上限値Ｖ１と下限値Ｖ２との範囲外であるときは、スイッチ回路１５が非導通となって、帰還増幅器１３の出力電流が増幅器１１のマイナス側入力端子に入力されず、入力信号ＶB は抵抗Ｒ２及び容量Ｃ１１の時定数に基づいて、基準電圧ＶF に収束する。すると、入力信号ＶA のデューティが変化して、パルス間隔が長くなった場合にも、入力信号ＶB と、入力信号ＶA の直流成分とのオフセット電圧は一致しないので、増幅器１１の出力信号ＶC が次段の比較器２のしきい値ＶTHを越えることはない。
【００５１】
この結果、比較器２の出力信号ＶX での誤パルスの発生を防止して、振幅及びデューティの異なる入力信号ＶA に基づいて一定振幅の出力信号ＶX を安定して出力することができる。
（第三の実施の形態）
図５は、この発明を具体化した第三の実施の形態を示す。この実施の形態は、前記第一の実施の形態の増幅器１１を差動出力型の増幅器１１ａに置換し、比較器２にはその差動出力信号を入力し、増幅器１１ａの入力端子間に抵抗Ｒ３を接続したものである。
【００５２】
上記のように構成された受信回路では、増幅器１１ａの差動出力信号ＶC1, ＶC2が帰還増幅器１３で増幅され、その帰還増幅器１３の出力信号から容量Ｃ１１により交流成分を除去した直流電圧ＶB が増幅器１１ａに入力される。
【００５３】
このような動作により、増幅器１１ａの入力信号ＶA の直流成分と入力信号ＶB との電位差が大きくなれば、差動出力信号ＶC1, ＶC2の直流成分の変化により、入力信号ＶB の電位が入力信号ＶA の直流成分に追随して変化する。
【００５４】
このとき、入力信号ＶA の振幅が前記上限値Ｖ１と下限値Ｖ２との範囲外であれば、コントロールアンプ１４から出力されるコントロール信号ＶCNT はＨレベルであるので、帰還増幅器１３の出力電流が減少し、増幅器１１ａの入力信号ＶB は入力信号ＶA に追随して緩やかに変化する。
【００５５】
また、入力信号ＶA の振幅が上限値Ｖ１及び下限値Ｖ２との範囲内であれば、コントロール信号ＶCNT はＬレベルとなって、帰還増幅器１３の出力電流が大きくなる。すると、帰還増幅器１３の出力電流が増大して、コントロール信号ＶCNT がＬレベルの場合より、増幅器１１ａの入力信号ＶB が入力信号ＶA に追随して速やかに変化する。
【００５６】
また、入力信号ＶA が無信号の場合には、抵抗Ｒ３と容量Ｃ１１との時定数により、入力信号ＶB は入力信号ＶA の直流成分レベルに収束するため、入力信号ＶA ，ＶB 間のオフセット電圧が解消される。
【００５７】
上記のように構成された受信回路では、第一の実施の形態の作用効果に加えて、帰還増幅器１３及び増幅器１１ａに基準電圧ＶF を供給する必要がない。また、抵抗Ｒ３により、増幅器１１ａのノイズマージンや受信感度の調整を行うことができるという効果が得られる。
（第四の実施の形態）
図６は、この発明を具体化した第四の実施の形態を示す。この実施の形態は、前記第三の実施の形態の増幅器１１ａと帰還増幅器１３のマイナス側入力端子との間に、電圧調整回路１６を接続したものである。
【００５８】
このような構成とすることにより、入力信号ＶA が無信号時の入力信号ＶA ，ＶB 間のオフセット電圧の微調整が容易となる。すなわち、例えば増幅器１１ａの利得が「１００」であって、入力信号ＶA ，ＶB 間のオフセット電圧を２ｍＶの範囲で微調整するとき、電圧調整回路１６では２００ｍＶの範囲で帰還増幅器１３の入力電圧を調整することができる。従って、入力信号ＶA ，ＶB 間のオフセット電圧の微調整を容易に行うことができる。
【００５９】
【発明の効果】
以上詳述したように、この発明は入力オフセット電圧を自動的に解消可能としながら、入力信号として入力されるバースト信号のデューティに関わらず、安定した２値信号を出力し得る受信回路を提供することができる。
【図面の簡単な説明】
【図１】  本発明の原理説明図である。
【図２】  第一の実施の形態を示す回路図である。
【図３】  第一の実施の形態の動作を示す波形図である。
【図４】  第二の実施の形態を示す回路図である。
【図５】  第三の実施の形態を示す回路図である。
【図６】  第四の実施の形態を示す回路図である。
【図７】  受信回路に入力される入力信号を示す波形図である。
【図８】  第一の従来例を示す回路図である。
【図９】  第二の従来例を示す回路図である。
【図１０】第三の従来例を示す回路図である。
【図１１】従来例の動作を示す波形図である。
【符号の説明】
１１      第一の増幅器
１３      第二の増幅器
１４      制御回路
ＶA       入力信号
ＶC       出力信号
ＶF       基準信号
【図１】
0003795626.tif 000002
【図２】
0003795626.tif 000003
【図３】
0003795626.tif 000004
【図４】
0003795626.tif 000005
【図５】
0003795626.tif 000006
【図６】
0003795626.tif 000007
【図７】
0003795626.tif 000008
【図８】
0003795626.tif 000009
【図９】
0003795626.tif 000010
【図１０】
0003795626.tif 000011
【図１１】
0003795626.tif 000012